(57)【要約】【課題】無線通信に対する表示部のノイズ影響を抑制できること。【解決手段】無線装置１００は、複数の通信部１１１〜１１７を有する無線通信部１１０と、表示部１３０を備える。表示信号処理部１２３は、画像表示用の制御信号の周波数を変更可能に表示部１３０に出力する。ＣＰＵ１２１は、無線通信部１１０の通信部１１１〜１１７が無線通信に使用する周波数帯域にノイズ影響を与えない周波数の制御信号を判断し、この判断結果に基づき、制御信号の周波数を決定する。【選択図】図１
2017135612.tif 000002
【特許請求の範囲】
【請求項１】
無線通信部および表示部を備える無線装置において、
画像表示用の制御信号の周波数を変更可能に前記表示部に出力する表示信号処理部と、
前記無線通信部が無線通信に使用する周波数帯域にノイズ影響を与えない周波数の前記制御信号を判断し、当該判断結果に基づき、前記制御信号の周波数を決定する制御部と、を有する、
ことを特徴とする表示部を備える無線装置。
【請求項２】
前記制御部は、前記表示信号処理部が出力する前記制御信号が、前記無線通信部が無線通信に使用する周波数帯域にノイズ影響を与えると判断した場合、当該制御信号の出力を停止し、前記無線通信部が無線通信に使用する周波数帯域にノイズ影響を与えない周波数の前記制御信号を決定した後、前記表示信号処理部に対し、決定した周波数の前記制御信号を再度出力させる、
ことを特徴とする請求項１に記載の表示部を備える無線装置。
【請求項３】
前記表示部の表示パネルを複数の領域に分割し、
前記分割数に対応して同一または異なる周波数の前記制御信号が入力され、前記制御部が決定した周波数の前記制御信号に基づき、前記表示パネルの複数の前記領域を同一または異なる周波数で表示駆動する複数の表示駆動部を有する、
ことを特徴とする請求項１または２に記載の表示部を備える無線装置。
【請求項４】
前記無線通信部は、各種通信サービス別の通信部を有し、
前記制御部は、前記各種通信サービス別の通信部による無線通信を行う際、当該通信部が使用する周波数帯域にノイズ影響を与えない周波数の前記制御信号を判断する、
ことを特徴とする請求項１〜３のいずれか一つに記載の表示部を備える無線装置。
【請求項５】
前記各種通信サービス別の通信部による無線通信が使用する周波数帯域に対し、周波数別の前記制御信号がノイズ影響を与えるか否かを予め設定したメモリを有し、
前記制御部は、前記メモリを参照して、前記無線通信部が無線通信に使用する周波数帯域にノイズ影響を与えない周波数の前記制御信号を判断する、
ことを特徴とする請求項４に記載の表示部を備える無線装置。
【請求項６】
前記表示パネルの分割は、表示の全体領域を、所定画素からなる複数の領域に分割、縦、横、斜め方向の画素をライン状に分割、またはランダムな位置の画素の分割、のいずれかとし、
前記表示駆動部は、分割された前記領域毎に同一または異なる周波数の前記制御信号に基づき、前記表示パネルを表示駆動する、
ことを特徴とする請求項３〜５のいずれか一つに記載の表示部を備える無線装置。
【請求項７】
前記制御部は、前記無線通信部による無線通信の開始後に、前記無線通信部が無線通信に使用する周波数帯域にノイズ影響を与えない周波数の前記制御信号を判断する、
ことを特徴とする請求項１〜６のいずれか一つに記載の表示部を備える無線装置。
【請求項８】
前記制御部は、前記無線通信部による無線通信の開始前に、前記無線通信部が無線通信に使用する周波数帯域にノイズ影響を与えない周波数の前記制御信号を判断する、
ことを特徴とする請求項１〜６のいずれか一つに記載の表示部を備える無線装置。
【請求項９】
前記制御部は、前記無線通信部の複数の通信部による無線通信を行う場合、当該複数の通信部が使用するいずれの周波数帯域に対してもノイズ影響を与えない周波数の前記制御信号を判断する、
ことを特徴とする請求項４または５に記載の表示部を備える無線装置。
【発明の詳細な説明】
【技術分野】
【０００１】
本発明は、表示装置から無線装置へのノイズを抑制する表示部を備える無線装置に関する。
【背景技術】
【０００２】
携帯電話などの無線装置では、地上デジタル波放送、セルラー通信、ＷｉＦｉ（Ｗｉｒｅｌｅｓｓ  Ｆｉｄｅｌｉｔｙ）など、広範囲に亘る通信周波数帯域での無線通信が可能となっている。
【０００３】
この無線装置が備える表示装置は、表示パネルの高精細化が進み、画像データの処理高速化に伴う高調波ノイズが増加する傾向にあり、無線通信への影響が生じている。高調波ノイズ成分として、画像データの表示に使用する制御信号の周波数の整数倍、または分周波の整数倍が最も強く発生することが知られている。表示装置の高周波ノイズの周波数帯域が広範囲に亘ると、無線通信に使用する広範囲な周波数帯域への影響が生じることになる。
【０００４】
表示装置の高調波ノイズを低減するために、ノイズ源の周囲を金属ケース等でシールドする、または電波吸収体を配置してノイズ強度を減少させる対策物を物理的に設ける方法が用いられている。しかし、携帯電話の小型化・薄型化に伴い、表示装置（ノイズ源）が無線通信用のアンテナに近接したり、対策物を設置すること自体が難しいこと等により、期待するノイズ低減効果が得にくくなってきている。
【０００５】
対策物を設置する以外の高調波ノイズ抑制対策としては、例えば、マトリクス表示パネルのドレインライン毎に異なる３相の位相で制御する技術がある（例えば、下記特許文献１参照。）。また、分割した表示領域毎に異なるクロック周波数で駆動することで高調波ノイズの周波数を分散させる技術がある（例えば、下記特許文献２，３参照。）。
【先行技術文献】
【特許文献】
【０００６】
【特許文献１】特開平７−１９９８５７号公報
【特許文献２】特開２０１０−２４３８５７号公報
【特許文献３】特開２００９−１１５９３６号公報
【発明の概要】
【発明が解決しようとする課題】
【０００７】
しかし、従来技術では、表示装置が発する高調波ノイズが無線装置で使用する通信周波数帯域に影響を与え、無線通信の通信性能が低下する。
【０００８】
無線装置の無線通信性能を満足させるためには、さらなる他のノイズ対策が必要となった。このノイズ対策では、無線装置が無線通信に使用する通信周波数および表示装置が使用する制御信号の周波数がいずれも広範囲の周波数となり、表示用の制御信号が無線装置の通信周波数に干渉する周波数帯域が増大することを考慮しなければならない。
【０００９】
一つの側面では、本発明は、無線通信に対する表示部のノイズ影響を抑制することを目的とする。
【課題を解決するための手段】
【００１０】
一つの案では、無線通信部および表示部を備える無線装置において、画像表示用の制御信号の周波数を変更可能に前記表示部に出力する表示信号処理部と、前記無線通信部が無線通信に使用する周波数帯域にノイズ影響を与えない周波数の前記制御信号を判断し、当該判断結果に基づき、前記制御信号の周波数を決定する制御部と、を有する、ことを要件とする。
【発明の効果】
【００１１】
一つの実施形態によれば、無線通信に対する表示部のノイズ影響を抑制できる効果を奏する。
【図面の簡単な説明】
【００１２】
【図１】図１は、実施の形態にかかる表示部を備える無線装置の構成例を示すブロック図である。
【図２】図２は、実施の形態にかかる無線装置の表示パネルの表示駆動周波数別の分割例を示す図である。（その１）
【図３】図３は、実施の形態にかかる無線装置の表示パネルの表示駆動周波数別の分割例を示す図である。（その２）
【図４】図４は、実施の形態にかかる無線装置の表示パネルの表示駆動周波数別の分割例を示す図である。（その３）
【図５】図５は、実施の形態にかかる無線装置の周波数判定メモリの設定例を示す図表である。
【図６】図６は、実施の形態にかかる無線通信部の通信周波数に応じた表示部の表示制御処理例を示すフローチャートである。（その１）
【図７】図７は、実施の形態にかかる無線通信部の通信周波数に応じた表示部の表示制御処理例を示すフローチャートである。（その２）
【図８】図８は、実施の形態にかかる無線通信部の通信周波数に応じた表示部の表示制御処理の具体例を示すフローチャートである。（その１）
【図９】図９は、実施の形態にかかる無線通信部の通信周波数に応じた表示部の表示制御処理の具体例を示すフローチャートである。（その２）
【発明を実施するための形態】
【００１３】
（実施の形態）
開示の表示部を備える無線装置の実施の形態を詳細に説明する。図１は、実施の形態にかかる表示部を備える無線装置の構成例を示すブロック図である。
【００１４】
実施の形態の無線装置１００は、例えば、スマートフォン等の携帯電話であり、無線装置１００は、無線通信部１１０と、メイン制御部１２０と、表示部１３０と、を含む。
【００１５】
無線通信部１１０は、各種の無線周波数帯を用いた無線通信を行う各通信部を含む。例えば、携帯電話網を介して無線データを送受信するセルラー通信部１１１（８００ＭＨｚ帯），１１２（２ＧＨｚ帯）がある。また、マルチ測位システム、例えば、ＧＮＳＳ通信部１１３がある。ＧＮＳＳは、「Ｇｌｏｂａｌ  Ｎａｖｉｇａｔｉｏｎ  Ｓａｔｅｌｌｉｔｅ  Ｓｙｓｔｅｍｓ」の略称である。
【００１６】
さらに、Ｂｌｕｅｔｏｏｔｈ（登録商標）通信部１１４、地上デジタル放送（ＤＴＶ）通信部１１５、無線ＬＡＮ（ＷｉＦｉ）通信部１１６、その他システムの通信部１１７がある。無線通信制御部１１８は、メイン制御部１２０の制御に基づき、各通信部１１１〜１１７の無線通信の制御（起動停止等）を行う。
【００１７】
メイン制御部１２０は、無線装置１００全体の制御を行う。メイン制御部１２０は、ＣＰＵ（Ｃｅｎｔｒａｌ  Ｐｒｏｃｅｓｓｉｎｇ  Ｕｎｉｔ）１２１と、メモリ１２２と、表示信号処理部１２３と、画像メモリ１２４と、を含む。メモリ１２２は、ＲＯＭ（Ｒｅａｄ  Ｏｎｌｙ  Ｍｅｍｏｒｙ）とＲＡＭ（Ｒａｎｄｏｍ  Ａｃｃｅｓｓ  Ｍｅｍｏｒｙ）とを含む。ＣＰＵ１２１は、メモリ１２２のＲＯＭに格納されたプログラムを実行し、ＲＡＭをデータ作業領域に使用することで、メイン制御部１２０の機能を実現する。メモリ１２２には、後述する周波数判定メモリ１２２ａの格納領域を有する。
【００１８】
表示信号処理部１２３は、表示部１３０に画像データを表示させる制御信号（画面表示信号）Ｄを生成する。表示信号処理部１２３は、画像メモリ１２４に表示用の画像を展開し、伝送路１２５を介して制御信号Ｄを表示部１３０に出力する。
【００１９】
そして、表示信号処理部１２３は、制御信号Ｄを同一周波数または複数の異なる周波数で同時に出力することができる。例えば、表示パネル１３３の表示領域を複数に分割した構成とした場合、表示信号処理部１２３は、各領域別に異なる周波数ｆの制御信号Ｄを出力することができる。なお、表示信号処理部１２３は、分割した領域毎の一部または全てで同じ周波数ｆの制御信号Ｄを表示部１３０に出力することもできる。
【００２０】
表示部１３０は、表示駆動信号発生部１３１と、ドライバ（駆動回路）１３２と、表示パネル１３３と、を含む。表示駆動信号発生部１３１は、表示パネル１３３上で分割する領域数分に対応する個数を有して設ける。表示パネル１３３は、例えば、ＬＣＤ（Ｌｉｑｕｉｄ  Ｃｒｙｓｔａｌ  Ｄｉｓｐｌａｙ）を用いることができる。
【００２１】
図１の例では、表示パネル１３３の表示領域を上下方向に領域１〜領域３に３分割した例である。この場合、３つの領域に対応して表示信号処理部１２３は、３つの領域に対応した３つの異なる周波数ｆ１〜ｆ３の制御信号Ｄ１〜Ｄ３を表示部１３０の表示駆動信号発生部１３１に出力する。そして、表示駆動信号発生部１３１は、上下方向の３つの領域（領域１〜領域３）に対応して、３つの表示駆動信号発生部１３１ａ〜１３１ｃを有する。
【００２２】
なお、表示駆動信号発生部１〜３（１３１ａ〜１３１ｃ）は、いずれも供給される制御信号Ｄ１〜Ｄ３（周波数ｆ１〜ｆ３）で表示パネル１３３を表示駆動可能である。すなわち、表示信号処理部１２３は、複数の表示駆動信号発生部１〜３（１３１ａ〜１３１ｃ）に対し、任意の周波数ｆの制御信号Ｄを選択（切り替え）して供給することができる。
【００２３】
表示駆動信号発生部１３１ａには、制御信号Ｄ１（周波数ｆ１）が入力され、表示駆動信号発生部１３１ｂには、制御信号Ｄ２（周波数ｆ２）が入力され、表示駆動信号発生部１３１ｃには、制御信号Ｄ３（周波数ｆ３）が入力される。
【００２４】
ドライバ１３２は、Ｘドライバ１３２ａと、Ｙドライバ１３２ｂとを有する。そして、Ｙドライバ１３２ｂには、Ｙ（上下）方向に３分割された領域１〜領域３に対応する表示駆動信号発生部１３１ａ〜１３１ｃの駆動信号がそれぞれ入力される。Ｘドライバ１３２ａにも表示駆動信号発生部１３１ａ〜１３１ｃの駆動信号がそれぞれ入力される。
【００２５】
Ｙドライバ１３２ｂは、表示駆動信号発生部１３１ａ〜１３１ｃのそれぞれで異なる入力周波数ｆ１〜ｆ３に基づき、表示パネル１３３のＹ（上下）方向の領域１〜領域３を同一の周波数、あるいは異なる周波数の駆動信号で駆動することができる。
【００２６】
表示信号処理部１２３が出力する制御信号Ｄの周波数ｆと、表示駆動信号発生部１３１が出力する駆動信号の周波数は異なるが、以下の説明では、便宜上、表示駆動信号発生部１３１が出力する駆動信号の周波数についても周波数ｆとして説明する。
【００２７】
上記の表示信号処理部１２３が出力する制御信号Ｄ（Ｄ１〜Ｄ３）は高周波（ｆ１〜ｆ３）であり、伝送路１２５（例えば両端の接続部等）から無線通信部１１０の各通信部１１１〜１１７の無線通信に対して影響を与える高調波ノイズＮを輻射する。また、表示駆動信号発生部１３１ａ〜１３１ｃと表示パネル１３３のＸドライバ１３２ａ、Ｙドライバ１３２ｂとの伝送路間でも、周波数ｆ１〜ｆ３に依存した高調波ノイズＮを輻射する。
【００２８】
上述したメイン制御部１２０のＣＰＵ１２１と、表示信号処理部１２３は、例えば、同一のチップ内に設けて構成することができる。
【００２９】
図１の例では、表示パネル１３３をＹ（上下）方向に３つの領域に分割し異なる制御信号Ｄ１〜Ｄ３の周波数ｆ１〜ｆ３に基づき表示駆動可能な構成としたが、分割数は３分割に限らず任意に設定できる。また、表示パネル１３３をＹ（上下）方向に分割するに限らず、Ｘ（横）方向に分割したり、Ｘ，Ｙそれぞれを組み合わたりすることで複数に分割することもできる。
【００３０】
図２〜図４は、それぞれ実施の形態にかかる無線装置の表示パネルの表示駆動周波数別の分割例を示す図である。
【００３１】
図２の表示パネル１３３は、駆動信号の周波数をＮ分割し、Ｘ（横）方向の１画素毎に異なる駆動信号の周波数ｆ１〜ｆＮを供給するものである。Ｙ（上下）方向の１画素を連続した１ラインに同一の周波数が供給される。Ｘドライバ１３２ａは、表示駆動信号発生部１３１ａ〜１３１ｎのそれぞれで異なる入力周波数ｆ１〜ｆＮに基づき、表示パネル１３３のＸ（横）方向で画素毎に異なる領域１〜領域Ｎを同一の周波数ｆ、あるいは異なる周波数ｆ１〜ｆＮの駆動信号で駆動する。
【００３２】
図２の分割構成の場合、表示パネル１３３のＸ（横）方向でＮ個の画素（周波数ｆＮ）に達すると、次の画素では再度周波数ｆ１の駆動信号を供給するパターンを繰り返す。この場合、図１に示した表示信号処理部１２３は、Ｎ分割に対応したＮ個の制御信号Ｄ１（ｆ１）〜ＤＮ（ｆＮ）を出力する。そして、表示駆動信号発生部１３１についてもＮ個設け、Ｘドライバ１３２ａに画素毎に異なる駆動信号の周波数ｆ１〜ｆＮを供給する。
【００３３】
図３の表示パネル１３３は、駆動信号の周波数をＮ分割し、Ｙ（上下）方向について１画素毎に異なる周波数ｆ１〜ｆＮの駆動信号を供給するものである。Ｘ（横）方向の画像を連続した１ラインに同一の周波数が供給される。Ｙドライバ１３２ｂは、表示駆動信号発生部１３１ａ〜１３１ｎのそれぞれで異なる入力周波数ｆ１〜ｆＮに基づき、表示パネル１３３のＹ（上下）方向で画素毎に異なる領域１〜領域Ｎを同一の周波数ｆ、あるいは異なる周波数ｆ１〜ｆＮの駆動信号で駆動する。
【００３４】
図３の分割構成の場合、表示パネル１３３のＹ（横）方向でＮ個の画素（周波数ｆＮ）に達すると、次の画素では再度周波数ｆ１の駆動信号を供給するパターンを繰り返す。この構成においても、図１に示した表示信号処理部１２３は、Ｎ分割に対応したＮ個の制御信号Ｄ１（ｆ１）〜ＤＮ（ｆＮ）を出力する。そして、表示駆動信号発生部１３１についてもＮ個設け、Ｙドライバ１３２ｂに画素毎に異なる周波数ｆ１〜ｆＮの駆動信号を供給する。
【００３５】
図４の表示パネル１３３は、図２および図３の分割例を組み合わせた例である。駆動信号の周波数をＮ分割し、Ｘ（横）およびＹ（上下）方向の組み合わせの１画素毎に異なる駆動信号の周波数ｆ１〜ｆＮを供給する。
【００３６】
例えば、図４の表示パネル１３３内に記載した「１，２，３，４，…，Ｎ−１，Ｎ」が各画素であり、図示のパターン例では、左下の画素「１」を周波数ｆ１の駆動信号で駆動し、画素「１」に隣接する上と右の２つの画素「２」を周波数ｆ２の駆動信号で駆動する。
【００３７】
この例では、左下を基準として、斜め右上方向に向かう斜めに位置する画素を同一の周波数の駆動信号で駆動するパターンである。斜めのライン上に位置する画素数はライン毎に異なる。そして、表示パネル１３３を複数の矩形領域（領域Ａ〜Ｎ）に分割し、各領域Ａ〜Ｎ内において、斜めのライン毎に同一周波数ｆの駆動信号で駆動する。斜めのラインがＮ個の画素（周波数ｆＮ）に達すると、次の斜めのライン上に位置する複数の画素では再度周波数ｆ１の駆動信号を供給するパターンを繰り返す。
【００３８】
図４の分割構成の場合においても、図１に示した表示信号処理部１２３は、Ｎ分割に対応したＮ個の制御信号Ｄ１（ｆ１）〜ＤＮ（ｆＮ）を出力する。そして、表示駆動信号発生部１３１についてもＮ個設け、Ｘドライバ１３２ａおよびＹドライバ１３２ｂに対し、画素毎に異なる周波数ｆ１〜ｆＮの駆動信号を供給する。
【００３９】
表示パネル１３３の分割例は、図１〜図４に限らず他にも各種考えられ、例えば、図４の各領域Ａ〜Ｎでランダムな複数画素毎に同一の周波数ｆの駆動信号を供給してもよい。
【００４０】
そして、所定の周波数ｆの駆動信号（例えば周波数ｆ１の駆動信号）が停止し、この駆動信号が周波数ｆ２に変更して出力されるまでの間、表示パネル１３３のうち、該当する駆動信号で表示駆動されている分割の領域は、一時的に黒画面となる。しかし、この分割の領域は、表示パネル１３３上で一部の領域であるため、ユーザの画面視聴（画面判別）の影響を軽減できる。
【００４１】
図１の例では、３分割された領域１〜３のうち一部の領域（例えば領域１）が一時的に黒画面となる。図２では、例えば、Ｙ方向に延びＸ方向に複数のライン「１」が一時的に黒画面となる。図３では、例えば、Ｘ方向に延びＹ方向に複数のライン「１」が一時的に黒画面となる。図４では、例えば、斜め方向に延びる複数のライン「１」が一時的に黒画面となる。
【００４２】
そして、表示パネル１３３の分割数が多いほど、表示の制御信号Ｄの周波数ｆの数を増やすことができる。そして、無線通信部１１０で扱う通信周波数に干渉する高調波ノイズＮの周波数を避けた表示制御信号（周波数ｆ）の選択肢を増やすことができるようになる。例えば、表示パネル１３３を分割した領域（駆動信号発生部１３１）の数Ｎとしたとき、制御信号Ｄの周波数ｆの変更時には、一時的にＮ−１／Ｎの画素数になるが、Ｎの数を増やすほど表示画素数の減少を抑え、ユーザの画面視聴の違和感等の影響を軽減できる。
【００４３】
（無線通信に対する表示の制御信号の高調波ノイズの影響低減について）
表示信号処理部１２３は、接続される複数の表示駆動信号発生部１３１ａ〜１３１ｃを各々一つの制御周波数（制御信号Ｄの周波数ｆ）または、複数の制御周波数（制御信号の周波数ｆ１〜ｆ３）にて制御可能である。
【００４４】
各表示駆動信号発生部１３１ａ〜１３１ｃは、各々に接続されたドライバ１３２（Ｘドライバ１３２ａとＹドライバ１３２ｂ）を駆動する。一つの表示パネル１３３に対し複数の表示駆動信号発生部１３１ａ〜１３１ｃを有するため、各表示駆動信号発生部１３１ａ〜１３１ｃ間には同期信号ラインを接続することで、表示パネル１３３上での画像表示タイミングにズレが発生することがない。ここで、表示パネル１３３を複数の制御周波数ｆ１〜ｆ３を使用して表示制御した場合には、発生する高調波ノイズＮの周波数成分が広範囲に亘ってしまう。
【００４５】
実施の形態では、ＣＰＵ１２１は、表示信号処理部１２３が生成出力し、複数の表示駆動信号発生部１３１ａ〜１３１ｃへ供給する制御信号Ｄ（Ｄ１〜Ｄ３）の周波数（ｆ１〜ｆ３）を無線通信部１１０が使用するシステム（通信部１１１〜１１７）の通信周波数に基づき動的に変更する。これにより、制御信号Ｄ（Ｄ１〜Ｄ３）が無線通信部１１０の無線通信（通信周波数）に与える影響を低減させる。
【００４６】
図５は、実施の形態にかかる無線装置の周波数判定メモリの設定例を示す図表である。周波数判定メモリ１２２ａには、予め、無線通信部１１０の通信周波数に対し、表示の制御信号Ｄが影響を与えるか否かに関する情報が一覧化（テーブル化）して予め設定されている。より具体的には、可変自在な周波数ｆの制御信号Ｄの高調波ノイズが通信周波数に干渉するか否かが予め設定される。
【００４７】
図５の横軸は、無線通信部１１０の各通信システムであり、縦軸は、表示信号処理部１２３が出力する制御信号Ｄの周波数ｆである。縦軸に記載した制御信号Ｄの数（周波数ｆ）は、上述した表示パネル１３３の分割数（領域数）に相当する。
【００４８】
図５の設定では、ＤＴＶ通信部１１５に対して、表示の制御信号Ｄ１（周波数ｆ１）と、制御信号Ｄ３（周波数ｆ３）と、制御信号Ｄ５（周波数ｆ５）は、高調波ノイズＮが干渉とならず、ＤＴＶ通信部１１５の無線通信に影響を与えない（図中○印）。一方、ＤＴＶ通信部１１５に対して、表示の制御信号Ｄ２（周波数ｆ２）と、制御信号Ｄ４（周波数ｆ４）は、高調波ノイズＮが干渉となり、ＤＴＶ通信部１１５の無線通信に影響を与える（図中×印）。
【００４９】
無線通信部１１０の複数の無線システムが使用中であれば、その分だけ無線通信中の無線電波に影響を与える制御信号Ｄ（周波数ｆ）が増えることになる。
【００５０】
ＣＰＵ１２１は、周波数判定メモリ１２２ａを参照し、表示制御中の制御信号Ｄの周波数ｆが、使用する無線通信部１１０の通信周波数に対して影響（制御信号Ｄに含まれる高調波ノイズＮの干渉）を与えるか否かを判断する。
【００５１】
例えば、無線通信部１１０内のあるシステム（例えばＤＴＶ通信部１１５）で無線通信を実施する場合を考える。この場合、ＣＰＵ１２１は、周波数判定メモリ１２２ａを参照し、ＤＴＶ通信部１１５の通信周波数に対し、周波数ｆ２，ｆ４の制御信号Ｄ２，Ｄ４が影響を与えると判断する。そして、ＣＰＵ１２１は、表示信号処理部１２３が表示駆動信号発生部１３１に供給出力している複数の制御信号Ｄのうち、影響を与える制御信号Ｄ２，Ｄ４の出力があれば、この制御信号Ｄ２，Ｄ４の出力を停止させる。
【００５２】
例えば、表示信号処理部１２３が表示駆動信号発生部１３１（１３１ａ〜１３１ｃ）にいずれも周波数ｆ２の制御信号Ｄ２を供給している状態であれば、制御信号Ｄ２の供給を停止させる。その後、ＣＰＵ１２１は、停止した制御信号Ｄ２（周波数ｆ２）をＤＴＶ通信部１１５の無線通信に影響を与えない周波数に変更する。この際、ＣＰＵ１２１は、周波数判定メモリ１２２ａを参照し、ＤＴＶ通信部１１５の通信周波数に影響を与えない周波数ｆ１，ｆ３，ｆ５（制御信号Ｄ１，Ｄ３，Ｄ５）のいずれかを選択する。そして、ＣＰＵ１２１は、選択した周波数ｆ（例えば周波数ｆ１）の制御信号Ｄ（制御信号Ｄ１）を表示駆動信号発生部１３１（１３１ａ〜１３１ｃ）に供給する。
【００５３】
これにより、表示駆動信号発生部１３１（１３１ａ〜１３１ｃ）は、制御信号Ｄ１（周波数ｆ１）に基づきドライバ１３２を駆動し、表示パネル１３３への画像データの表示を再開する。
【００５４】
上記のように、ＣＰＵ１２１は、無線通信部１１０で無線通信中の周波数に影響を与える周波数ｆの制御信号Ｄが使用中（出力中）であるか否かを確認する。そして、使用中である場合には、該当する周波数ｆの制御信号Ｄを表示駆動信号発生部１３１に供給することを停止する。
【００５５】
その後、ＣＰＵ１２１は、表示駆動信号発生部１３１に供給を停止した制御信号Ｄについて、無線通信部１１０で無線通信中の周波数に影響を与えない周波数ｆの制御信号Ｄに変更し、表示駆動信号発生部１３１に再度供給する。これにより、無線通信部１１０で無線通信中の周波数に影響を与えない周波数ｆの制御信号Ｄを用いて表示パネル１３３への画像表示が行えるようになる。
【００５６】
このように制御信号Ｄの周波数ｆを変更する際、表示パネル１３３に制御信号Ｄが供給されていない間、表示パネル１３３上の表示画像が一時的に消失する（黒画面となる）。このため、実施の形態では、表示パネル１３３の複数の領域に分割し、表示駆動信号発生部１３１を領域数に応じて複数設け、表示信号処理部１２３が複数の周波数ｆの制御信号Ｄのなかから選択して、選択した制御信号Ｄを表示駆動信号発生部１３１に出力する。
【００５７】
ここで、図１の例で見て、表示パネル１３３を３分割し、表示信号処理部１２３が複数の異なる周波数ｆ１〜ｆ３の駆動信号で表示パネル１３３を表示駆動している場合を想定する。このような画面表示状態において、無線通信部１１０の所定の通信部による無線通信を開始した場合、制御信号Ｄ（周波数ｆ１）の高調波ノイズＮが無線通信に影響（干渉）を与える状態になったとする。この場合、周波数ｆ１の制御信号Ｄ１だけを無線通信に影響がない周波数、例えば周波数ｆ２の制御信号Ｄ２に変更する。
【００５８】
この場合、表示パネル１３３上で一時的に表示が消える（黒画面）となるのは、周波数ｆ１をｆ２に変更した制御信号Ｄ１に対応する領域だけである。図１の例では、３分割したうち一つの領域のみとなり、画面全体が黒画面とはならないため、ユーザによる画面視聴状態の違和感をできるだけ軽減することができる。なお、制御信号Ｄの周波数ｆ変更にかかる時間（すなわち黒画面の期間）は、ごく短時間（例えば、０．１秒以下）である。
【００５９】
すなわち、表示パネル１３３を分割せず、ある単一の周波数ｆの制御信号Ｄで画面全体を駆動していた場合には、例えば、無線通信部１１０で新たな通信部を起動させる都度画面全体に黒画面が生じて、ユーザの画面視聴に影響を与える。これに対し、上記画面分割により、黒画面となる領域が表示パネル１３３の一部となるため、画面視聴時の違和感を軽減できる。
【００６０】
以上説明したように、実施の形態の無線装置は、下記の各構成を含む。
（１）表示信号処理部１２３は、同一の周波数ｆ、あるいは異なる複数の周波数ｆの制御信号Ｄで画像データの制御信号Ｄを表示駆動信号発生部１３１に出力する。
（２）複数の表示駆動信号発生部１３１を有し、各表示駆動信号発生部１３１はそれぞれに接続されたドライバ１３２を駆動する。
（３）複数の表示駆動信号発生部１３１に接続されたドライバ１３２（Ｘドライバ１３２ａとＹドライバ１３２ｂ）は、表示パネル１３３を分割した複数の領域毎に異なる周波数ｆで表示駆動する。
（４）ＣＰＵ１２１は、周波数判定メモリ１２２ａを参照し、通信中の通信周波数に影響を与える周波数ｆの制御信号Ｄを出力している場合、制御信号Ｄの出力を停止する。その後、通信中の通信周波数に影響を与えない周波数ｆの制御信号Ｄを出力再開する。
【００６１】
このように、無線通信部１１０で通信中の通信周波数に合わせて、動的に表示部１３０での画面表示の制御信号Ｄの周波数ｆを変更することで、制御信号Ｄが発生する高調波ノイズＮの無線通信への影響を低減する。同時に、ユーザの表示パネル１３３上での画面視聴への影響を軽減させる。
【００６２】
（通信周波数に応じた表示部の表示制御処理例１）
図６は、実施の形態にかかる無線通信部の通信周波数に応じた表示部の表示制御処理例を示すフローチャートである。ＣＰＵ１２１が実行する処理内容を主に記載してあり、無線通信開始後（無線通信中）に表示の制御信号の変更を行う処理例を示す。Ｍ，Ｎは自然数であり、Ｍはカウント値、Ｎは表示駆動信号発生部１３１の総数である。
【００６３】
はじめに、ＣＰＵ１２１は、表示信号処理部１２３が出力する複数の制御信号Ｄの周波数ｆ１〜ｆＮをそれぞれ任意の初期値に設定する（ステップＳ６０１）。この際、使用する周波数ｆの数は、最大で表示駆動信号発生部１３１の数分だけ用いることができる。
【００６４】
次に、ＣＰＵ１２１は、表示信号処理部１２３に対し、複数の表示駆動信号発生部１〜ｎ（１３１ａ〜１３１ｎ）に対して制御信号Ｄ１〜ＤＮを出力させる（ステップＳ６０２）。これにより、表示パネル１３３は、分割領域毎に異なる複数の周波数ｆ１〜ｆＮにより画面表示を開始する（ステップＳ６０３）。
【００６５】
この後、ＣＰＵ１２１は、無線通信部１１０の所定の通信部による無線通信が必要であるか判断する（ステップＳ６０４）。無線通信部１１０による無線通信が不要であれば（ステップＳ６０４：Ｎｏ）、以上の処理を終了する。この際、ユーザ操作等により画面表示を終了させてもよい。
【００６６】
ステップＳ６０４において、無線通信部１１０による無線通信が必要であれば（ステップＳ６０４：Ｙｅｓ）、ＣＰＵ１２１は、カウント値Ｍを１にセットする（ステップＳ６０５）。
【００６７】
次に、ＣＰＵ１２１は、起動した無線通信部１１０（所定の通信部１１１〜１１７）による無線通信を開始させる（ステップＳ６０６）。そして、ＣＰＵ１２１は、周波数判定メモリ１２２ａを参照する（ステップＳ６０７）。そして、ＣＰＵ１２１は、表示信号処理部１２３が出力中の制御信号Ｄ１〜ＤＮ（周波数ｆ１〜ｆＮ）について、はじめにカウント値Ｍ＝１、すなわち、一つの制御信号Ｄ１（周波数ｆ１）が無線通信中の通信周波数に影響を与えるかを判断する（ステップＳ６０８）。この際、ＣＰＵ１２１は、図５に示した周波数判定メモリ１２２ａの通信システム（横軸）と、制御信号の周波数ｆ（縦軸）との交点部分の印が○であるか×であるかに基づき影響の有無を容易に判断できる。
【００６８】
そして、ステップＳ６０８の判断結果、Ｍ＝１、すなわち、周波数ｆ１の制御信号Ｄ１が無線通信中の通信周波数に影響を与えると判断した場合（ステップＳ６０８：Ｙｅｓ）、ステップＳ６０９に移行する。一方、周波数ｆ１の制御信号Ｄ１が無線通信中の通信周波数に影響を与えないと判断した場合には（ステップＳ６０８：Ｎｏ）、ステップＳ６１２に移行する。
【００６９】
ステップＳ６０９では、ＣＰＵ１２１は、表示信号処理部１２３に対し、周波数ｆ１の制御信号Ｄ１の出力を停止させる（ステップＳ６０９）。この後、ＣＰＵ１２１は、周波数判定メモリ１２２ａの設定に基づき、制御信号Ｄ１を無線通信に影響しない周波数（例えばｆ２）に変更する（ステップＳ６１０）。そして、ＣＰＵ１２１は、表示信号処理部１２３に対し、変更後の周波数ｆ２の制御信号Ｄ１を再度出力させる（ステップＳ６１１）。
【００７０】
上記処理により、制御信号Ｄ１を供給していた表示パネル１３３上の一部の領域（例えば図１の領域１）についてのみ一時的に黒画面が生じるが、表示内容は継続して表示することができる。
【００７１】
この後、ＣＰＵ１２１は、カウント値Ｍをインクリメントし（ステップＳ６１２）、Ｍが＝Ｎとなったか判断する（ステップＳ６１３）。ＭがＮ以下であれば（ステップＳ６１３：Ｎｏ）、ＣＰＵ１２１は、ステップＳ６０７の処理に戻る。これにより、Ｍ＝Ｎとなるまで、すなわち、表示信号処理部１２３が出力する各周波数ｆ２〜ｆＮの制御信号Ｄ２〜ＤＮそれぞれについてステップＳ６０７〜ステップＳ６１２の処理を行う。
【００７２】
ＭがＮに一致すれば（ステップＳ６１３：Ｙｅｓ）、ＣＰＵ１２１は、無線通信部１１０においてさらに別の通信部１１１〜１１７による無線通信は不要であるかを判断する（ステップＳ６１４）。別の通信部１１１〜１１７による無線通信は不要であれば（起動していなければ）（ステップＳ６１４：Ｙｅｓ）、以上の処理を終了する。一方、別の通信部１１１〜１１７による無線通信が必要であれば（起動した場合には）（ステップＳ６１４：Ｎｏ）、ＣＰＵ１２１は、ステップＳ６０５の処理に戻り、ステップＳ６０５以下の処理について再度実行する。
【００７３】
図６の制御例によれば、表示の制御信号の変更を、無線通信の開始後に行うため、無線通信開始時には、表示の制御信号Ｄの周波数ｆ（高調波ノイズＮ）が無線通信に一時的に影響を与える状態となるが、ユーザ操作等で直ちに無線通信を開始できるようになる。
【００７４】
（通信周波数に応じた表示部の表示制御処理例２）
図７は、実施の形態にかかる無線通信部の通信周波数に応じた表示部の表示制御処理例を示すフローチャートである。ＣＰＵ１２１が実行する処理内容を主に記載してあり、表示の制御信号の変更を、無線通信の開始前に行う処理例を示す。
【００７５】
はじめに、ＣＰＵ１２１は、表示信号処理部１２３が出力する複数の制御信号Ｄの周波数ｆ１〜ｆＮをそれぞれ任意の初期値に設定する（ステップＳ７０１）。次に、ＣＰＵ１２１は、表示信号処理部１２３に対し、複数の表示駆動信号発生部１〜Ｎ（１３１ａ〜１３１ｎ）に対して制御信号Ｄ１〜ＤＮを出力させる（ステップＳ７０２）。これにより、表示パネル１３３は、分割領域毎に異なる複数の周波数ｆ１〜ｆＮにより画面表示を開始する（ステップＳ７０３）。
【００７６】
この後、ＣＰＵ１２１は、無線通信部１１０の所定の通信部による無線通信が必要であるか判断する（ステップＳ７０４）。無線通信部１１０による無線通信が不要であれば（ステップＳ７０４：Ｎｏ）、以上の処理を終了する。この際、ユーザ操作等により画面表示を終了させてもよい。
【００７７】
ステップＳ７０４において、無線通信部１１０による無線通信が必要であれば（ステップＳ７０４：Ｙｅｓ）、ＣＰＵ１２１は、カウント値Ｍを１にセットする（ステップＳ７０５）。例えば、無線通信部１１０において所定の通信部１１１〜１１７を起動させたときがこの状態に相当する。
【００７８】
次に、ＣＰＵ１２１は、周波数判定メモリ１２２ａを参照する（ステップＳ７０６）。そして、ＣＰＵ１２１は、表示信号処理部１２３が出力中の制御信号Ｄ１〜ＤＮ（周波数ｆ１〜ｆＮ）について、はじめにカウント値Ｍ＝１、すなわち、一つの制御信号Ｄ１（周波数ｆ１）が無線通信中の通信周波数に影響を与えるかを判断する（ステップＳ７０７）。この際、ＣＰＵ１２１は、図５に示した周波数判定メモリ１２２ａの通信システム（横軸）と、制御信号の周波数ｆ（縦軸）との交点部分の印が○であるか×であるかに基づき影響の有無を容易に判断できる。
【００７９】
そして、ステップＳ７０７の判断結果、Ｍ＝１、すなわち、周波数ｆ１の制御信号Ｄ１が無線通信中の通信周波数に影響を与えると判断した場合（ステップＳ７０７：Ｙｅｓ）、ステップＳ７０８に移行する。一方、周波数ｆ１の制御信号Ｄ１が無線通信中の通信周波数に影響を与えないと判断した場合には（ステップＳ７０７：Ｎｏ）、ステップＳ７１１に移行する。
【００８０】
ステップＳ７０８では、ＣＰＵ１２１は、表示信号処理部１２３に対し、周波数ｆ１の制御信号Ｄ１の出力を停止させる（ステップＳ７０８）。この後、ＣＰＵ１２１は、周波数判定メモリ１２２ａの設定に基づき、制御信号Ｄ１を無線通信に影響しない周波数（例えばｆ２）に変更する（ステップＳ７０９）。そして、ＣＰＵ１２１は、表示信号処理部１２３に対し、変更後の周波数ｆ２の制御信号Ｄ１を再度出力させる（ステップＳ７１０）。
【００８１】
上記処理により、制御信号Ｄ１を供給していた表示パネル１３３上の一部の領域（例えば図１の領域１）についてのみ一時的に黒画面が生じるが、表示内容は継続して表示することができる。
【００８２】
この後、ＣＰＵ１２１は、カウント値Ｍをインクリメントし（ステップＳ７１１）、Ｍが＝Ｎとなったか判断する（ステップＳ７１２）。ＭがＮ以下であれば（ステップＳ７１２：Ｎｏ）、ＣＰＵ１２１は、ステップＳ７０６の処理に戻る。これにより、Ｍ＝Ｎとなるまで、すなわち、表示信号処理部１２３が出力する各周波数ｆ２〜ｆＮの制御信号Ｄ２〜ＤＮそれぞれについてステップＳ７０６〜ステップＳ７１１の処理を行う。
【００８３】
ＭがＮに一致すれば（ステップＳ７１２：Ｙｅｓ）、ＣＰＵ１２１は、無線通信部１１０（所定の通信部１１１〜１１７）による無線通信を開始させる（ステップＳ７１３）。そして、ＣＰＵ１２１は、無線通信部１１０においてさらに別の通信部１１１〜１１７による無線通信は不要であるかを判断する（ステップＳ７１４）。別の通信部１１１〜１１７による無線通信は不要であれば（起動していなければ）（ステップＳ７１４：Ｙｅｓ）、以上の処理を終了する。一方、別の通信部１１１〜１１７による無線通信が必要であれば（起動した場合には）（ステップＳ７１４：Ｎｏ）、ＣＰＵ１２１は、ステップＳ７０５の処理に戻り、ステップＳ７０５以下の処理について再度実行する。
【００８４】
図７の制御例によれば、表示の制御信号の変更を、無線通信の開始前に行うため、無線通信開始時には、表示の制御信号Ｄの周波数ｆ（高調波ノイズＮ）が無線通信に影響を与えない状態に変更されており、安定した品質で無線通信を開始できるようになる。
【００８５】
（通信周波数に応じた表示部の表示制御具体例１）
図８は、実施の形態にかかる無線通信部の通信周波数に応じた表示部の表示制御処理の具体例を示すフローチャートである。
【００８６】
図８では、表示駆動信号発生部１３１を２つ設け（１３１ａ，１３１ｂ）、周波数ｆ１，ｆ２の２つの制御信号Ｄ１，Ｄ２（駆動信号）により表示パネル１３３を２分割して表示駆動する構成であるとする。そして、無線通信部１１０のうち一つのＤＴＶ通信部１１５が無線通信を行う場合の表示制御例を説明する。
【００８７】
はじめに、ＣＰＵ１２１は、初期設定として、表示駆動信号発生部１（１３１ａ）に周波数ｆ１の制御信号Ｄ１を割り当て、表示駆動信号発生部２（１３１ｂ）に周波数ｆ２の制御信号Ｄ２を割り当てる（ステップＳ８０１）。そして、ＣＰＵ１２１は、表示信号処理部１２３に対し、表示駆動信号発生部１，２（１３１ａ，１３１ｂ）への制御信号Ｄ１，Ｄ２の出力を行わせる（ステップＳ８０２）。
【００８８】
これにより、表示パネル１３３は、分割された一方の領域１に周波数ｆ１の制御信号Ｄ１に基づく画面表示を行うとともに、分割された他方の領域２に周波数ｆ２の制御信号Ｄ２に基づく画面表示を行う（ステップＳ８０３）。なお、表示パネル１３３上では、領域分割されていても全領域で一つの画像を表示可能である。
【００８９】
次に、ユーザ操作等によりＤＴＶ通信部１１５による無線通信を開始した場合、ＣＰＵ１２１は、周波数判定メモリ１２２ａを参照し（図５参照）、ＤＴＶ通信部１１５の無線通信に影響を与える周波数ｆを確認する（ステップＳ８０４）。そして、ＣＰＵ１２１は、表示に使用している制御信号Ｄ１の周波数ｆ１はＤＴＶ通信部１１５の無線通信に影響を与えないと判定する（判定１：ステップＳ８０５）。これにより、ＣＰＵ１２１は、表示信号処理部１２３に対し、表示駆動信号発生部１（１３１ａ）への周波数ｆ１の制御信号Ｄ１の出力を継続させる（ステップＳ８０６）。
【００９０】
また、ＣＰＵ１２１は、ステップＳ８０４の周波数判定メモリ１２２ａの参照により、表示に使用している制御信号Ｄ２の周波数ｆ２はＤＴＶ通信部１１５の無線通信に影響を与えると判定する（判定２：ステップＳ８０７）。これにより、ＣＰＵ１２１は、表示信号処理部１２３に対し、表示駆動信号発生部２（１３１ｂ）への周波数ｆ２の制御信号Ｄ２の出力を停止させる（ステップＳ８０８）。
【００９１】
そして、ＣＰＵ１２１は、表示信号処理部１２３に対し、表示駆動信号発生部２（１３１ｂ）への制御信号Ｄ２を、ＤＴＶ通信部１１５の無線通信に影響を与えない周波数ｆ（例えばｆ３）を割り当てる（ｆ２→ｆ３へ変更、ステップＳ８０９）。そして、ＣＰＵ１２１は、表示信号処理部１２３に対し、表示駆動信号発生部２（１３１ｂ）へ周波数ｆ３の制御信号Ｄ２の再出力を行わせる（ステップＳ８１０）。
【００９２】
（通信周波数に応じた表示部の表示制御具体例２）
図９は、実施の形態にかかる無線通信部の通信周波数に応じた表示部の表示制御処理の具体例を示すフローチャートである。
【００９３】
図９では、表示駆動信号発生部１３１を２つ設け（１３１ａ，１３１ｂ）、周波数ｆ１，ｆ２の２つの制御信号Ｄ１，Ｄ２（駆動信号）により表示パネル１３３を２分割して表示駆動する構成であるとする。そして、無線通信部１１０の２つの通信部（ＤＴＶ通信部１１５と、Ｂｌｕｅｔｏｏｔｈ通信部１１４）がいずれも無線通信を行う場合の表示制御例を説明する。
【００９４】
はじめに、ＣＰＵ１２１は、初期設定として、表示駆動信号発生部１（１３１ａ）に周波数ｆ１の制御信号Ｄ１を割り当て、表示駆動信号発生部２（１３１ｂ）に周波数ｆ２の制御信号Ｄ２を割り当てる（ステップＳ９０１）。そして、ＣＰＵ１２１は、表示信号処理部１２３に対し、表示駆動信号発生部１，２（１３１ａ，１３１ｂ）への制御信号Ｄ１，Ｄ２の出力を行わせる（ステップＳ９０２）。
【００９５】
これにより、表示パネル１３３は、分割された一方の領域１に周波数ｆ１の制御信号Ｄ１に基づく画面表示を行うとともに、分割された他方の領域２に周波数ｆ２の制御信号Ｄ２に基づく画面表示を行う（ステップＳ９０３）。なお、表示パネル１３３上では、領域分割されていても全領域で一つの画像を表示可能である。
【００９６】
次に、ユーザ操作等によりＤＴＶ通信部１１５による無線通信を開始した場合、ＣＰＵ１２１は、周波数判定メモリ１２２ａを参照する（図５参照）。そして、ＤＴＶ通信部１１５並びに、Ｂｌｕｅｔｏｏｔｈ通信部１１４の無線通信に影響を与える周波数ｆを確認する（ステップＳ９０４）。
【００９７】
そして、ＣＰＵ１２１は、表示に使用している制御信号Ｄ１の周波数ｆ１はＢｌｕｅｔｏｏｔｈ通信部１１４の無線通信に影響を与えると判定する（判定１：ステップＳ９０５）。この場合、ＣＰＵ１２１は、表示信号処理部１２３に対し、表示駆動信号発生部１（１３１ａ）への周波数ｆ１の制御信号Ｄ１の出力を停止させる（ステップＳ９０６）。
【００９８】
そして、ＣＰＵ１２１は、表示信号処理部１２３に対し、表示駆動信号発生部１（１３１ａ）への制御信号Ｄ１を、Ｂｌｕｅｔｏｏｔｈ通信部１１４の無線通信に影響を与えない周波数ｆ（例えばｆ３）を割り当てる（ｆ１→ｆ３へ変更、ステップＳ９０７）。そして、ＣＰＵ１２１は、表示信号処理部１２３に対し、表示駆動信号発生部１（１３１ａ）へ周波数ｆ３の制御信号Ｄ１の再出力を行わせる（ステップＳ９０８）。
【００９９】
また、ＣＰＵ１２１は、ステップＳ９０４の周波数判定メモリ１２２ａの参照により、表示に使用している制御信号Ｄ２の周波数ｆ２はＤＴＶ通信部１１５の無線通信に影響を与えると判定する（判定２：ステップＳ９０９）。この場合、ＣＰＵ１２１は、表示信号処理部１２３に対し、表示駆動信号発生部２（１３１ｂ）への周波数ｆ２の制御信号Ｄ２の出力を停止させる（ステップＳ９１０）。
【０１００】
そして、ＣＰＵ１２１は、表示信号処理部１２３に対し、表示駆動信号発生部２（１３１ｂ）への制御信号Ｄ２を、ＤＴＶ通信部１１５並びにＢｌｕｅｔｏｏｔｈ通信部１１４の無線通信に影響を与えない周波数ｆを割り当てる（ステップＳ９１１）。例えば、周波数ｆ２をｆ５に変更する。そして、ＣＰＵ１２１は、表示信号処理部１２３に対し、表示駆動信号発生部２（１３１ｂ）へ周波数ｆ５の制御信号Ｄ２の再出力を行わせる（ステップＳ９１２）。
【０１０１】
ステップＳ９１１の処理において、ＤＴＶ通信部１１５並びに、Ｂｌｕｅｔｏｏｔｈ通信部１１４の無線通信に影響を与えない周波数ｆは、図５の例では、ｆ３あるいはｆ５であり、ｆ３としてもよい。この場合、制御信号Ｄ１，Ｄ２の周波数はいずれもｆ３となる。
【０１０２】
図８および図９の説明は、表示の制御信号Ｄの変更を無線通信後に行う制御（図６参照）の具体例に相当するが、表示の制御信号Ｄの変更を無線通信前に行う制御（図７参照）にも同様に適用することができる。
【０１０３】
以上説明した実施の形態によれば、無線通信部で通信中の通信周波数に合わせて、動的に表示用の制御信号の周波数を変更する。これにより、任意の通信周波数による通信を行う場合に、表示用の制御信号が通信周波数に影響を与えることを防ぐことができる。
【０１０４】
また、表示パネルを複数の領域に分割し、各領域毎に異なる周波数の制御信号で駆動することで、表示用の制御信号の周波数を変更する場合に、画面の全領域が黒画面になることを防ぎ、画面視聴への影響を軽減できる。
【０１０５】
上述した実施の形態に関し、さらに以下の付記を開示する。
【０１０６】
（付記１）無線通信部および表示部を備える無線装置において、
画像表示用の制御信号の周波数を変更可能に前記表示部に出力する表示信号処理部と、
前記無線通信部が無線通信に使用する周波数帯域にノイズ影響を与えない周波数の前記制御信号を判断し、当該判断結果に基づき、前記制御信号の周波数を決定する制御部と、を有する、
ことを特徴とする表示部を備える無線装置。
【０１０７】
（付記２）前記制御部は、前記表示信号処理部が出力する前記制御信号が、前記無線通信部が無線通信に使用する周波数帯域にノイズ影響を与えると判断した場合、当該制御信号の出力を停止し、前記無線通信部が無線通信に使用する周波数帯域にノイズ影響を与えない周波数の前記制御信号を決定した後、前記表示信号処理部に対し、決定した周波数の前記制御信号を再度出力させる、
ことを特徴とする付記１に記載の表示部を備える無線装置。
【０１０８】
（付記３）前記表示部の表示パネルを複数の領域に分割し、
前記分割数に対応して同一または異なる周波数の前記制御信号が入力され、前記制御部が決定した周波数の前記制御信号に基づき、前記表示パネルの複数の前記領域を同一または異なる周波数で表示駆動する複数の表示駆動部を有する、
ことを特徴とする付記１または２に記載の表示部を備える無線装置。
【０１０９】
（付記４）前記無線通信部は、各種通信サービス別の通信部を有し、
前記制御部は、前記各種通信サービス別の通信部による無線通信を行う際、当該通信部が使用する周波数帯域にノイズ影響を与えない周波数の前記制御信号を判断する、
ことを特徴とする付記１〜３のいずれか一つに記載の表示部を備える無線装置。
【０１１０】
（付記５）前記各種通信サービス別の通信部による無線通信が使用する周波数帯域に対し、周波数別の前記制御信号がノイズ影響を与えるか否かを予め設定したメモリを有し、
前記制御部は、前記メモリを参照して、前記無線通信部が無線通信に使用する周波数帯域にノイズ影響を与えない周波数の前記制御信号を判断する、
ことを特徴とする付記４に記載の表示部を備える無線装置。
【０１１１】
（付記６）前記表示パネルの分割は、表示の全体領域を、所定画素からなる複数の領域に分割、縦、横、斜め方向の画素をライン状に分割、またはランダムな位置の画素の分割、のいずれかとし、
前記表示駆動部は、分割された前記領域毎に同一または異なる周波数の前記制御信号に基づき、前記表示パネルを表示駆動する、
ことを特徴とする付記３〜５のいずれか一つに記載の表示部を備える無線装置。
【０１１２】
（付記７）前記制御部は、前記無線通信部による無線通信の開始後に、前記無線通信部が無線通信に使用する周波数帯域にノイズ影響を与えない周波数の前記制御信号を判断する、
ことを特徴とする付記１〜６のいずれか一つに記載の表示部を備える無線装置。
【０１１３】
（付記８）前記制御部は、前記無線通信部による無線通信の開始前に、前記無線通信部が無線通信に使用する周波数帯域にノイズ影響を与えない周波数の前記制御信号を判断する、
ことを特徴とする付記１〜６のいずれか一つに記載の表示部を備える無線装置。
【０１１４】
（付記９）前記制御部は、前記無線通信部の複数の通信部による無線通信を行う場合、当該複数の通信部が使用するいずれの周波数帯域に対してもノイズ影響を与えない周波数の前記制御信号を判断する、
ことを特徴とする付記４または５に記載の表示部を備える無線装置。
【０１１５】
（付記１０）前記表示駆動部は、前記表示パネルの分割の前記領域数に対応する数の複数の表示駆動信号発生部と、前記表示駆動信号発生部が出力する駆動信号に基づき前記表示パネルを表示駆動するドライバと、を有する、
ことを特徴とする付記３〜９のいずれか一つに記載の表示部を備える無線装置。
【符号の説明】
【０１１６】
１００  無線装置
１１０  無線通信部
１１１〜１１７  各通信部
１２０  メイン制御部
１２１  ＣＰＵ
１２２  メモリ
１２２ａ  周波数判定メモリ
１２３  表示信号処理部
１２４  画像メモリ
１２５  伝送路
１３０  表示部
１３１（１３１ａ〜１３１ｃ）  表示駆動信号発生部
１３２  ドライバ（Ｘドライバ、Ｙドライバ）
１３３  表示パネル
Ｄ（Ｄ１〜Ｄ３）  制御信号
ｆ（ｆ１〜ｆ３）  制御信号の周波数
Ｎ  高調波ノイズ
【図１】
2017135612.tif 000003
【図２】
2017135612.tif 000004
【図３】
2017135612.tif 000005
【図４】
2017135612.tif 000006
【図５】
2017135612.tif 000007
【図６】
2017135612.tif 000008
【図７】
2017135612.tif 000009
【図８】
2017135612.tif 000010
【図９】
2017135612.tif 000011